(57)【特許請求の範囲】
【請求項１】
操作画面を表示する表示部と、
ユーザの入力操作を受け付ける入力部と、
前記入力部により受け付けられた入力操作に従って前記表示部に表示された操作画面の表示処理を実行すると共に、
前記表示処理とは異なり、かつ、少なくとも画像データの入力又は出力機能に関する機能処理要求を実行する制御部と、
前記制御部は、当該制御部の処理状況に基づいて、前記表示部および前記入力部を、第１入力操作を受け付けて、当該第１入力操作に従った第１表示処理を行う第１入力表示形態と、前記第１入力操作より前記制御部に対する処理負荷が小さい第２入力操作を受け付けて、当該第２入力操作に従った第２表示処理を行う第２入力表示形態との間で切り替えることを特徴とする画像処理装置。
【請求項２】
前記入力部は、タッチパネルであり、
前記表示部は、
前記第１入力表示形態において、複数の入力操作を並行して受け付けるためのマルチタッチ操作画面を表示し、
前記第２入力表示形態において、１つの入力操作を受け付けるためのシングルタッチ操作画面を表示することを特徴とする請求項１に記載の画像処理装置。
【請求項３】
前記制御部は、前記第１入力操作の対象となる画像データと、前記機能処理要求の対象となる画像データとが、同一であると判断した場合、前記第２入力表示形態に切り替える一方、
同一でないと判断した場合、前記第１入力表示形態に切り替えることを特徴とする請求項１または請求項２に記載の画像処理装置。
【請求項４】
前記制御部は、前記機能処理要求が多色または高解像度の画像データの入力又は出力機能の実行を要求するものと判断した場合、前記第２入力表示形態に切り替える一方、
前記機能処理要求が単色または低解像度の画像データの入力又は出力機能の実行を要求するものと判断した場合、前記第１入力表示形態に切り替えることを特徴とする請求項１または請求項２に記載の画像処理装置。
【請求項５】
前記制御部は、前記第１入力操作の対象となる画像データと、前記機能処理要求の対象となる画像データとが同一である、または、前記機能処理要求が多色または高解像度の画像データの入力又は出力機能の実行を要求するものと判断した場合、
前記制御部は、前記第１表示処理を実行している状態で前記機能処理要求を受け付けた場合、前記第１入力表示形態に切り替える一方、
前記機能処理要求が実行されている状態で前記入力部により指示が入力された場合、前記第２入力表示形態に切り替えることを特徴とする請求項３または請求項４に記載の画像処理装置。
【請求項６】
前記制御部は、前記第１入力操作の対象となる画像データと、前記機能処理要求の対象となる画像データとが同一である、または、前記機能処理要求が多色または高解像度の画像データの入力又は出力機能の実行を要求するものと判断した場合、
前記制御部は、前記機能処理要求の優先度を判断し、前記機能処理要求の優先度が基準値より高いと判断された場合、前記第２入力表示形態に切り替える一方、
前記機能処理要求の優先度が基準値以下であると判断された場合、前記第１入力表示形態に切り替えることを特徴とする請求項３または請求項４に記載の画像処理装置。
【請求項７】
前記制御部は、前記第１入力表示形態においては前記機能処理要求を制限して実行し、前記第２入力表示形態においては前記機能処理要求を制限せずに実行することを特徴とする請求項５または請求項６に記載の画像処理装置。
【請求項８】
前記制御部は、前記第２入力表示形態に切り替える契機となった前記機能処理要求に従った機能の実行が終了した場合に、前記第２入力表示形態から前記第１入力表示形態に切り替えることを特徴とする請求項１ないし請求項７のいずれかに記載の画像処理装置。
【発明の詳細な説明】
【技術分野】
【０００１】
本発明は、画像処理装置に関し、特に画像処理装置の操作画面の制御を行うものに関す
る。
【背景技術】
【０００２】
今日、コンピュータ・システムにおける諸操作を実行するための多くのスタイルのユー
ザインタフェース（以下、「ＵＩ」と称す）が存在する。例として、特許文献１にはマル
チポイント・タッチ・スクリーンに関する技術が開示されている。特許文献１によると、
マルチポイント・タッチ・スクリーンからの複数のタッチ入力の検知信号に基づいて、操
作対象に対するズーム、パン、回転などのマルチタッチ操作機能を実現することが可能で
ある。
【先行技術文献】
【特許文献】
【０００３】
【特許文献１】特表２００８−５０８６０１号公報
【発明の概要】
【発明が解決しようとする課題】
【０００４】
今後、市場のプリンタや複合機などの画像処理装置では、ユーザの操作の利便性を向上
させるため、上述のマルチタッチ操作機能を有するようなＵＩを画像処理装置に適用する
ことが望まれている。
【０００５】
しかしながら、特許文献１に記載の技術では、マルチポイント・タッチ・スクリーンか
らの複数のタッチ入力の検知信号に基づいて、操作対象に対するズーム、パン、回転など
の複雑な処理を実行するために、装置のリソース（ソフトウェアやハードウェアを動作さ
せるのに必要なＣＰＵの処理速度やメモリ容量、ハードディスクの容量など）を多く必要
とする。このような複雑な処理が必要なＵＩを画像処理装置に搭載すると、ＵＩを使用し
ている間は、印刷等の他の画像処理の実行に利用できるリソースは限られてしまう。その
結果、他の画像処理の実行が遅くなったり、停止してしまうといった問題がある。
【０００６】
このため、ＵＩの処理によってその他の画像処理の実行が制限されることなく、効率よ
く画像処理装置の各処理を実現するための対応が必要となる。本発明は、上述した問題を
解決することを課題とする。
【課題を解決するための手段】
【０００７】
この課題の解決を目的としてなされた本発明の請求項１に記載の画像処理装置は、操作
画面を表示する表示部と、ユーザの入力操作を受け付ける入力部と、前記入力部により受
け付けられた入力操作に従って前記表示部に表示された操作画面の表示処理を実行すると
共に、前記表示処理とは異なり、かつ、少なくとも画像データの入力又は出力機能に関す
る機能処理要求を実行する制御部と、前記制御部は、当該制御部の処理状況に基づいて、
前記表示部および前記入力部を、第１入力操作を受け付けて、当該第１入力操作に従った
第１表示処理を行う第１入力表示形態と、前記第１入力操作より前記制御部に対する処理
負荷が小さい第２入力操作を受け付けて、当該第２入力操作に従った第２表示処理を行う
第２入力表示形態との間で切り替えることを特徴とする。
【０００８】
この構成によれば、制御部の処理状況に基づいて、第１入力表示形態と第２入力表示形
態を切り替える構成になっているため、入力部及び表示部の処理によって機能処理要求の
実行が制限されることなく、効率よく画像処理装置の各処理を実現することができる。
【０００９】
また、本発明の請求項２に記載の画像処理装置は、請求項１に記載の画像処理装置であ
って、前記入力部は、タッチパネルであり、前記表示部は、前記第１入力表示形態におい
て、複数の入力操作を並行して受け付けるためのマルチタッチ操作画面を表示し、前記第
２入力表示形態において、１つの入力操作を受け付けるためのシングルタッチ操作画面を
表示することを特徴とする。
【００１０】
この構成によれば、制御部の処理状況に基づいて、複雑な操作ができるマルチタッチ操
作画面と、マルチタッチ操作画面と同等の操作を行うことができるシングルタッチ操作画
面を切り替える構成になっているため、入力部及び表示部の処理によって機能処理要求の
実行が制限されることなく効率よく画像処理装置の各処理を実現することができる。
【００１１】
また、本発明の請求項３に記載の画像処理装置は、請求項１または請求項２に記載の画
像処理装置であって、前記制御部は、前記第１入力操作の対象となる画像データと、前記
機能処理要求の対象となる画像データとが、同一であると判断した場合、前記第２入力表
示形態を表示する一方、同一でないと判断した場合、前記第１入力表示形態を表示するこ
とを特徴とする。
【００１２】
すなわち、機能処理要求の対象となる画像データと、第１入力操作の対象となる画像デ
ータとが同一であると、同じ画像データに対して異なる処理を実行する必要があるため、
制御部の負荷が大きくなることが予想される。この構成によれば、第１入力操作と機能処
理要求が同一画像データに対する処理による制御部の負荷を大きくなさせないよう、第１
入力表示形態と第２入力表示形態を切り替えることによって、入力部及び表示部の処理と
機能処理要求を両立して実行できることができる。
【００１３】
また、本発明の請求項４に記載の画像処理装置は、請求項１または請求項２に記載の画像処理装置であって、前記制御部は、前記機能処理要求が多色または高解像度の画像データの入力又は出力機能の実行を要求するものと判断した場合、前記第２入力表示形態に切り替える一方、前記機能処理要求が単色または低解像度の画像データの入力又は出力機能の実行を要求するものと判断した場合、前記第１入力表示形態に切り替えることを特徴とする。
【００１４】
すなわち、機能処理要求の対象となる画像データが多色または高解像度であれば、この
機能処理要求の実行するため、制御部の負荷が大きくなることが予想される。この構成に
よれば、機能処理要求が多色または高解像度の画像データに対する処理による制御部の負
荷を大きくなさせないよう、第１入力表示形態と第２入力表示形態を切り替えることによ
って、入力部及び表示部の処理と機能処理要求を両立して実行できることができる。
【００１５】
また、本発明の請求項５に記載の画像処理装置は、請求項３または請求項４に記載の画像処理装置であって、前記制御部は、前記第１入力操作の対象となる画像データと、前記機能処理要求の対象となる画像データとが同一である、または、前記機能処理要求が多色または高解像度の画像データの入力又は出力機能の実行を要求するものと判断した場合、前記制御部は、前記第１表示処理を実行している状態で前記機能処理要求を受け付けた場合、前記第１入力表示形態に切り替える一方、前記機能処理要求が実行されている状態で前記入力部により指示が入力された場合、前記第２入力表示形態に切り替えることを特徴とする。
【００１６】
この構成によれば、画像処理装置が第１表示処理と機能処理要求を受け付ける順番に基
づいて、先に受け付けた処理を優先させ、第１入力表示形態と第２入力表示形態を切り替
えることによって、先に受け付けられた処理が後に受け付けられた処理によって制限され
ることなく、効率よく実行することができる。
【００１７】
また、本発明の請求項６に記載の画像処理装置は、請求項３または請求項４に記載の画
像処理装置であって、前記制御部は、前記第１入力操作の対象となる画像データと、前記
機能処理要求の対象となる画像データとが同一である、または、前記機能処理要求が多色
または高解像度の画像データの入力又は出力機能の実行を要求するものと判断した場合、
前記制御部は、前記機能処理要求の優先度を判断し、前記機能処理要求の優先度が基準値
より高いと判断された場合、前記第２入力表示形態に切り替える一方、前記機能処理要求
の優先度が基準値以下であると判断された場合、前記第１入力表示形態に切り替えること
を特徴とする。
【００１８】
この構成によれば、機能処理要求の優先度に基づいて、優先度の高い機能処理要求の実
行を優先させ、第１入力表示形態と第２入力表示形態を切り替えることによって、優先度
の高い機能処理要求が入力部及び表示部の処理によって制限されることなく、効率よく実
行することができる。
【００１９】
また、本発明の請求項７に記載の画像処理装置は、請求項５または請求項６に記載の画
像処理装置であって、前記制御部は、前記第１入力表示形態においては前記機能処理要求
を制限して実行し、前記第２入力表示形態においては前記機能処理要求を制限せずに実行
することを特徴とする。
【００２０】
すなわち、制御部の処理状況に基づいて、制御部の処理負荷の大きい第１入力表示形態
である場合には機能処理要求を制限し、第１入力表示形態よりも制御部の処理負荷の小さ
い第２入力表示形態では機能処理要求を制限せずに実行する構成になっているため、入力
部及び表示部の処理と機能処理要求との一方の処理を制限することで、他方の処理を制限
することなく、効率よく実行することができる。
【００２１】
また、本発明の請求項８に記載の画像処理装置は、請求項１ないし請求項７のいずれか
に記載の画像処理装置であって、前記制御部は、前記第２入力表示形態に切り替える契機
となった前記機能処理要求に従った機能の実行が終了した場合に、前記第２入力表示形態
から前記第１入力表示形態に切り替えることを特徴とする。
【００２２】
すなわち、第２入力表示形態に切り替える契機となった機能処理要求に従った機能の実
行は、制御部に負荷をかける処理であると考えられる。この構成によれば、制御部に負荷
がかかる機能処理要求の実行が終了した場合に、第２入力表示形態を第１入力表示形態に
切り替えることによって、速やかにユーザに操作性のよい第１入力表示形態を提供するこ
とができる。
【発明の効果】
【００２３】
本発明の画像処理装置によれば、制御部の処理状況に基づいて、第１入力表示形態と第
２入力表示形態を切り替える構成になっているため、入力部及び表示部の処理によって機
能処理要求の実行が制限されることなく、効率よく画像処理装置の各処理を実現すること
ができる。
【図面の簡単な説明】
【００２４】
【図１】画像処理装置の外観の構成を概略的に示す斜視図である。
【図２】画像処理装置の電気的構成を概略的に示すブロック図である。
【図３】（Ａ）は、標準操作画面の表示例を示す図であり、  （Ｂ）は、（Ａ）の標準操作画面に対する操作結果の表示例を示す図である
【図４】（Ａ）は、簡易操作画面の表示例を示す図であり、  （Ｂ）は、（Ａ）の簡易操作画面に対する操作結果の表示例を示す図である。
【図５】実施形態１に係るＵＩ実行処理の手順を示すフローチャートである。
【図６】実施形態１に係るＪＯＢ実行処理の手順を示すフローチャートである。
【図７】実施形態２に係るＵＩ実行処理の手順を示すフローチャートである。
【図８】実施形態２に係るＪＯＢ実行処理の手順を示すフローチャートである。
【図９】実施形態２の実施例を示すタイミングチャートである。
【図１０】（Ａ）は、簡易操作画面の表示例を示す図であり、  （Ｂ）は、（Ａ）の簡易操作画面に対する操作結果の表示例を示す図である
【発明を実施するための形態】
【００２５】
＜実施形態１＞
以下、本発明の具体的な実施の形態について図面を参照しつつ詳細に説明する。
「画像処理装置の構成」
図１は、本実施形態の画像処理装置の外観の構成を概略的に示す斜視図である。図２は
、画像処理装置の電気的構成を概略的に示すブロック図である。
【００２６】
画像処理装置１００は、ファックス機能、プリンタ機能、コピー機能、スキャナ機能な
どの各種の機能を１台に備えているものである（以下、「ＭＦＰ」（Multi Function Per
ipheral）と略する）。
【００２７】
図１に示すように、ＭＦＰ１００の上部にスキャナ部２を有している。スキャナ部２は
、原稿台にセットされた原稿から画像の読み取りを行うと共に、この画像の画像データを
生成するものである。生成した画像データはプリンタ部３により印刷されたり（コピー機
能）、ファックス部１により送信されたり（ファックス機能）、または通信インターフェ
イス３８を介して情報処理装置２００に送信される（スキャナ機能）。
【００２８】
ＭＦＰ１００の下部に画像データを出力するためのプリンタ部３を有している。プリン
タ部３は、所定の給紙トレイにセットされた記録紙への印刷を行うためのインクジェット
方式のプリンタで構成され、記録紙を搬送する記録紙搬送用モータ（非図示）と、記録紙
へインクを吐出する印字ヘッド（非図示）と、その印字ヘッドを搭載したキャリッジ（非
図示）を移動させるキャリッジモータ（非図示）とを備えている。
【００２９】
ＭＦＰ１００のファックス部１（図２）は、外部の通信装置から自装置宛に送信された
ファックスデータを受信したり、外部の通信装置に対してファックスデータを送信したり
するものである。ファックス部１では、スキャナ部２で読み取った画像データや記憶媒体
に格納された画像データをファックスデータとして送信する。
【００３０】
ＭＦＰ１００の正面には、ＳＤカード（登録商標）、ＣＦカード（登録商標）などの記
憶媒体を装着するスロット部３７を有する。ここで、記憶媒体は、公知の媒体及び形式を
適宜選択可能である。また、複数の方式の媒体に適用するよう、複数のスロットを有する
ように構成してもよい。
【００３１】
ＭＦＰ１００は、各種機能を実行させるための複数の操作キー４と、操作画面などの各
種情報を表示する液晶ディスプレイである表示部６とを有している。また、表示部６の前
面に透明なタッチパネル５を設け、操作キー４の一部または全部の機能を代用してもよい
。また、タッチパネル５と操作キー４を併用できるよう構成してもよい。
【００３２】
図２に示すように、ＭＦＰ１００は、前述したファックス部１、スキャナ部２、プリン
タ部３、操作キー４、タッチパネル５、表示部６、及びスロット部３７に加えて、制御部
３０と、各種設定を記憶し書き換え可能で不揮発性のＮＶＲＡＭ３４(フラッシュメモリ)
と、ＵＳＢメモリ等のＵＳＢデバイスと接続するＵＳＢインターフェイス３６と、ＰＣな
どの情報処理装置２００とを接続するＬＡＮ（Local Area Network）に接続するための通
信インターフェイス３８と、電話回線綱３００を介してファックス機能を実現するための
電話回線インターフェイス３９と、タッチパネル５の入力を検知する入力検知デバイス４
０を有している。
【００３３】
制御部３０は、ＭＦＰ１００全体の動作を制御するＣＰＵ３１と、そのＣＰＵ３１によ
り実行される各種の制御プログラムや固定値データを記憶するＲＯＭ３２と、ＣＰＵ３１
により実行される各種処理に必要なデータやプログラム等を一時的に記憶するためのメモ
リであるＲＡＭ３３とを備えている。
【００３４】
また、制御部３０は、ファックス部１、スキャナ部２、プリンタ部３等と電気的に接続
されている。ファックス部１、スキャナ部２、プリンタ部３の画像データの入出力に関す
る処理は、制御部３０によって制御され、それぞれが独立して動作する。
【００３５】
なお、ＲＯＭ３２には、表示部６に操作画面を表示するために必要となる表示情報が記
憶されている。表示情報は、表示部６にどのような階層構造で操作画面を表示するのか、
各階層の操作画面にどのような設定項目を割り当てるか、各階層の操作画面にどのような
レイアウトでアイコン、ボタン、文字、記号等を表示するのか、などを示す情報となる。
また、ＲＯＭ３２には、例えば、図３に示した標準で用意された標準操作画面（マルチタ
ッチ操作画面の一例）を表示するための表示情報の他に、図４に示した標準操作画面と同
一の操作機能を実現できる簡易操作画面（シングルタッチ画面の一例）を表示するための
表示情報が記憶されている。
【００３６】
なお、上記構成は単なる一例であり、本発明が上記構成に限定されないことはいうまで
もない。また、上記構成においては、全ての機能が一体化された装置を図示したが、一部
の機能を外付け装置で実現してもよい。さらに、上記内部の電気的構成は単なる一例であ
り、本発明が上記内部構成に限定されないことはいうまでもない。
【００３７】
「操作画面の構成」
図３に示した標準操作画面が表示される状態では、入力検知デバイス４０によりタッチ
パネル５に対する１つのタッチ入力（シングルタッチ）や、同時に生じた複数のタッチ入
力（マルチタッチ）や、タッチした点の移動等１以上のタッチ入力が継続的に変化する入
力（マルチタッチ）などを検知し、検知結果によって検知信号を生成し、生成した検知信
号をＣＰＵ３１に送信する。その後、ＣＰＵ３１は検知信号に基づいて、表示部６に対応
する指示を送信し、表示部６の表示を更新させる。
【００３８】
以上の処理によれば、ユーザが単一の指、複数の指、単一のスタイラス、指とスタイラ
ス、または複数のスタイラス等のいずれかからの、シングルタッチまたはマルチタッチで
処理対象とする画像データに対する様々な表示処理を実行する。これらの表示処理は、例
えば、表示している画像に対して、トラッキング、ズーム、回転、スクロール、及びパン
などをそれぞれ実行させる。また、例えば、画像をズームさせる最中に、回転させること
も可能である。
【００３９】
このように、表示部６が標準操作画面（マルチタッチ操作画面の一例）を表示し、かつ
入力検知デバイス４０がタッチパネル５に対するシングルタッチ操作及びマルチタッチ操
作を受け付ける状態のことをマルチタッチモード（第１入力表示形態の一例）と称する。
【００４０】
これに対して、図４に示した簡易操作画面が表示される状態では、入力検知デバイス４
０はタッチパネル５に対するシングルタッチのみ検知する。そして、ＣＰＵ３１はその検
知信号により、タッチされた位置に表示されている画像の選択や、タッチされた位置に表
示されているキーに応じた表示処理を実行する。このように、表示部６が簡易操作画面（
シングルタッチ画面の一例）を表示し、かつ入力検知デバイス４０がタッチパネル５に対
するシングル操作のみを受け付ける状態のことをシングルタッチモード（第２入力表示形
態の一例）と称する。
【００４１】
また、簡易操作画面に対してたとえユーザが複数の指でタッチパネル５を入力操作した
場合、入力検知デバイス４０は、全てのマルチタッチについて無効信号を生成し、生成し
た無効信号をＣＰＵ３１に送信する。ＣＰＵ３１は無効信号により、表示部６の画像を更
新させない。
【００４２】
「画像処理装置の動作」
ＭＦＰ１００の動作は、主に、ＣＰＵ３１を含める制御部３０の処理状況に応じて、標
準操作画面と簡易操作画面との間で切り替えて、いずれかを表示部６に表示させる。
【００４３】
なお、制御部３０の処理状況は、ＣＰＵ３１の利用率や、ＣＰＵ３１資源の処理待ちの
度合いや、ＲＯＭ３２およびＲＡＭ３３の利用状況などである。例えば、ＣＰＵ３１の利
用率が高い場合、制御部３０のリソースが不足になり（以下、「Ｂｕｓｙ状態」と称する
）、ＭＦＰ１００の処理に大幅な遅延が発生する現象が起こる。また、マルチタッチモー
ドでの入力操作を処理するには、シングルタッチモードでの入力操作を処理するより、制
御部３０に多く負荷をかかることは言うまでもない。
【００４４】
以下、上述した操作画面の切り替え動作を実現するＭＦＰ１００の実行処理の手順につ
いて、図５および図６を参照しつつ説明する。図５はＵＩ実行処理のフローチャートであ
り、図６はＪＯＢ実行処理のフローチャートである。なお、ＭＦＰ１００は、電源が投入
されるとＵＩ実行処理およびＪＯＢ実行処理を並行して処理を行う。ＵＩ実行処理とは、
操作キー４やタッチパネル５に対してユーザからの入力操作を検知し、その検知された入
力操作に応じて表示部６の表示を更新する処理である。また、ＪＯＢ実行処理とは、ジョ
ブ（機能処理要求の一例）を受け付けた場合に前述したファックス機能、プリンタ機能、
コピー機能、スキャナ機能のいずれかを実行する処理である。
【００４５】
「ＵＩ実行処理」
先ず、ＭＦＰ１００の電源が投入されると、ＣＰＵ３１は、予め用意された待機画面の
表示情報をＲＯＭ３２から読み出すとともに、この読み出した表示情報に基づいて表示部
６に待機画面を表示する（Ｓ１０１）。ここで待機画面とは、ＭＦＰ１００が備える複数
の機能をメニューとして選択可能な表示画面などが考えられる。
【００４６】
次に、ＣＰＵ３１は、タッチパネル５に対するユーザの入力操作を受け取ったか否かを
判断する（Ｓ１０２）。入力操作を受け取っていないと判断した場合（Ｓ１０２：Ｎｏ）
、入力操作を受け取るまで待機画面のまま待機する。
【００４７】
一方、ユーザによる入力操作を受け取ったと判断した場合（Ｓ１０２：Ｙｅｓ）、ＣＰ
Ｕ３１は、制御部３０がＢｕｓｙ状態であるか否かを判断する（Ｓ１０３）。
【００４８】
ここで、ＣＰＵ３１は、ＪＯＢ実行処理等の他の処理で既に制御部３０がＢｕｓｙ状態
である場合はＳ１０３でＹｅｓと判断する。このときＪＯＢ実行処理においてジョブが実
行されている。また、ＪＯＢ実行処理を実行している際に、例えば通信インターフェイス
３８を介してジョブ（印刷、ファックス、読取など）を受け取って、且つ、受け取ったジ
ョブが高品質（多色、高解像度など）で実行するものであれば、制御部３０がＢｕｓｙ状
態であると判断する。その他、ＪＯＢ実行処理を実行していなくても、例えば通信インタ
ーフェイス３８を介して受け取ったジョブが高品質（多色、高解像度など）であれば、制
御部３０がＢｕｓｙ状態であると判断する。このとき受け取ったジョブは、ＪＯＢ実行処
理において実行される。
【００４９】
一方、ＪＯＢ実行処理等の他の処理を実行していてもＢｕｓｙ状態ではない場合、ジョ
ブを受け取っていない場合、または、受け取ったジョブが低品質（単色、低解像度など）
で印刷するものであれば、制御部３０がＢｕｓｙ状態ではないと判断する。
【００５０】
ＣＰＵ３１は、制御部３０がＢｕｓｙ状態であると判断した場合（Ｓ１０３：Ｙｅｓ）
には、簡易操作画面を表示部６に表示させ、シングルタッチのみを受け付けるシングルタ
ッチモードに移行する（Ｓ１０４）。そうすれば、ジョブと入力操作の受付及び表示を同
時に実行する前に、制御部３０がＢｕｓｙ状態であることを予想し、操作画面を切り替え
ることができる。その結果、制御部３０の負荷を減少させ、ジョブと入力操作の受付及び
表示を両立して同時に実行することができる。
【００５１】
それに対して、ＣＰＵ３１は、制御部３０がＢｕｓｙ状態でないと判断した場合（Ｓ１
０３：Ｎｏ）には、標準操作画面を表示部６に表示させ、シングルタッチ及びマルチタッ
チを受け付けるマルチタッチモードに移行する（Ｓ１０５）。
【００５２】
Ｓ１０４およびＳ１０５にて、標準操作画面と簡易操作画面とのいずれかが表示されて
いる状態で、ユーザによる入力操作を受け付ける（Ｓ１０６）。ここで標準操作画面が表
示されている状態ではシングルタッチとマルチタッチを受け付け、簡易操作画面が表示さ
れている状態ではシングルタッチのみを受け付ける。ＣＰＵ３１は、受け付けた入力操作
を処理し、処理結果に基づいて、表示部６の表示を更新する（Ｓ１０７）。
【００５３】
例えば、図３（Ａ）に示した標準操作画面において、操作対象となる画像や、マルチタ
ッチモードでの操作方法などが表示されている。ユーザは表示された操作方法に従って、
指で２点をタッチしながら、２点のタッチ位置がそれぞれ離れるように上下方向に移動さ
せるズームアウト操作が行われると、画像が図３（Ｂ）のように拡大されて表示される。
一方、図３（Ｂ）のように拡大された画像が表示されている状態で、ユーザが２点をタッ
チしながら、２点のタッチ位置がそれぞれ近づくように上下方向に移動させるズームイン
操作が行われると、図３（Ａ）のように画像が縮小されて表示される。
【００５４】
また、例えば、図４（Ａ）に示した簡易操作画面において、シングルタッチモードの状
態で、操作対象となる画像とともに、「拡大」、「縮小」、「上下左右の方向キー」など
の操作ボタンも表示されている。このようなボタンを表示することで、標準操作画面と同
等の操作を行うことができる。また、簡易操作画面に切り替えられていることをユーザに
知らせるため、図４の画面に「機能動作中のため簡易操作で代替しています」のようなメ
ッセージが表示される。図４（Ａ）に対して、ユーザによる「拡大」ボタンの操作を行わ
れると、図４（Ｂ）のように画像が拡大されて表示される。
【００５５】
続いて、タッチパネル５にて入力操作が完了したか否かを判断し（Ｓ１０８）、入力操
作が完了した場合（Ｓ１０８：Ｙｅｓ）、待機画面を表示し、新たな入力操作が受け取る
まで待機する（Ｓ１０１）。ここで入力操作が完了した場合とは、操作キー４やタッチパ
ネル５において操作の終了ボタンが押された場合や、Ｓ１０６の入力操作の受付が一定期
間以上なかった場合に、入力操作が完了したと判断する。
【００５６】
タッチパネル５にて入力操作が完了していない場合（Ｓ１０８：Ｎｏ）、Ｓ１０３に移
行し、再び制御部がＢｕｓｙ状態であるかを判断する。ここで、例えば、前回の判断結果
によりＳ１０４で表示部６に簡易操作画面が表示されている状態で、ジョブの実行が先に
完了すると、ＣＰＵ３１は、制御部３０がＢｕｓｙ状態ではないと判断し（Ｓ１０３：Ｎ
ｏ）、標準操作画面に切り替えて表示部６に表示させ、マルチタッチモードに移行する（
Ｓ１０５）。ジョブがまだ実行中であれば、ＣＰＵ３１は、簡易操作画面を表示させ、シ
ングルタッチモードを継続する（Ｓ１０４）。
【００５７】
「ＪＯＢ実行処理」
ＭＦＰ１００の電源が投入されると、ＣＰＵ３１は、例えば通信インターフェイス３８
を介してジョブを受け取ったか否かを判断する（Ｓ２０１）。ジョブを受け取っていない
と判断した場合（Ｓ２０１：Ｎｏ）、ジョブを受け取るまで待機する。ジョブを受け取っ
たと判断した場合（Ｓ２０１：Ｙｅｓ）、ジョブを受け付けてから（Ｓ２０２）、実行す
る（Ｓ２０３）。
【００５８】
次に、ジョブの実行が終了したか否かを判断し（Ｓ２０４）、ジョブの実行が終了して
いない場合（Ｓ２０４：Ｎｏ）、Ｓ２０３に移行し、引き続きジョブを実行する。ジョブ
の実行が終了した場合（Ｓ２０４：Ｎｏ）、Ｓ２０１に移行し、新たなジョブを受け取る
まで待機する。
【００５９】
「本実施形態の効果」
以上の実施形態によれば、ＭＦＰ１００は、ＣＰＵ３１を含める制御部３０の処理状況
に基づいて、マルチタッチモード（すなわち、マルチタッチ操作を受け付ける標準操作画
面を表示する）とシングルタッチモード（標準操作画面と同等の入力操作を行うことがで
きるシングルタッチ操作を受け付ける簡易操作画面を表示する）を切り替える構成になっ
ているため、タッチパネル５で受け付けられた入力操作の処理によってジョブの実行が制
限されることなく効率よくＭＦＰ１００の各処理を実現することができる。
【００６０】
また、ＭＦＰ１００は、ジョブの処理対象となる画像データが高品質であれば、このジ
ョブの実行するため、制御部の負荷が大きくなることが予想される。ジョブが高品質の画
像データに対する処理による制御部３０の負荷を大きくなさせないよう、マルチタッチモ
ードとシングルタッチモードを切り替えることによって、タッチパネル５で受け付けられ
た入力操作の処理とジョブを両立して実行できることができる。
【００６１】
また、ＭＦＰ１００は、シングルタッチモードに切り替える契機となったジョブの実行
は、制御部３０に負荷をかける処理であると考えられる。制御部３０に負荷がかかるジョ
ブの実行が終了した場合に、シングルタッチモードをマルチタッチモードに切り替えるこ
とによって、速やかにユーザに操作性よいマルチタッチモードを提供することができる。
【００６２】
＜実施形態２＞
次に実施形態２について図７及び図８を参照して説明する。図７はＵＩ実行処理のフロ
ーチャートであり、図８はＪＯＢ実行処理のフローチャートである。なお、以下の実施形
態２の説明では、ＭＦＰ１００の構成は、上記実施形態１と同様であるため、説明を省略
する。また、ＵＩ実行処理およびＪＯＢ実行処理の動作において、上記実施形態１と同様
な処理は同じ符号を付加し、省略して説明する。また、実施形態２では、制御部３０がＢ
ｕｓｙ状態である場合に、ＵＩ実行処理を優先するかＪＯＢ実行処理を優先するかをそれ
ぞれの処理を開始したタイミングで判断する点で、実施形態１とは異なる。
【００６３】
「ＵＩ実行処理」
図７のＳ１０２において、ＣＰＵ３１は、タッチパネル５の入力操作を受け取ると（Ｓ
１０２：ＹＥＳ）、制御部がＢｕｓｙ状態かどうかを判断する（Ｓ１０３）。
【００６４】
ＣＰＵ３１は、制御部３０がＢｕｓｙ状態ではないと判断した場合（Ｓ１０３：Ｎｏ）
、標準操作画面を表示する（Ｓ１０５）。
【００６５】
制御部３０がＢｕｓｙ状態であると判断した場合（Ｓ１０３：Ｙｅｓ）、かつ、Ｓ３０
１でジョブが制限なしで実行中でない場合、すなわち、後述の通常処理速度より低速で実
行している場合（Ｓ３０１：Ｎｏ）、ＣＰＵ３１は、標準操作画面を表示させ、マルチタ
ッチモードに移行する(Ｓ１０５)。このときＪＯＢ実行処理では、ジョブは処理を制限し
て実行される（後述）。
【００６６】
一方、制御部３０がＢｕｓｙ状態であるが（Ｓ１０３：Ｙｅｓ）、ジョブが制限なし、
すなわち通常速度で実行中であれば（Ｓ３０１：Ｙｅｓ）、ＣＰＵ３１は、簡易操作画面
を表示部６に表示させ、シングルタッチモードに移行する（Ｓ１０４）。このときＪＯＢ
実行処理では、ジョブは通常どおり実行される（後述）。
【００６７】
その後、ＣＰＵ３１は、Ｓ１０８にて入力操作が完了したと判断した場合（Ｓ１０８：
Ｙｅｓ）、Ｓ１０１に戻り、新たな入力操作を受け取るまで待機する。
【００６８】
また、入力操作が完了していない場合（Ｓ１０８：Ｎｏ）、Ｓ１０３に移行し、再び制
御部がＢｕｓｙ状態であるかを判断する。
【００６９】
なお、Ｓ１０３〜Ｓ１０４（もしくはＳ１０５）の間の処理の実行は、排他処理になっ
ている。
【００７０】
「ＪＯＢ実行処理」
図８のＳ２０１によりジョブを受け取ったと判断した場合（Ｓ２０１：Ｙｅｓ）、ＣＰ
Ｕ３１は、ジョブを受け付けて（Ｓ２０２）、制御部３０がＢｕｓｙ状態であるかどうか
を判断する（Ｓ１０３）。
【００７１】
ＣＰＵ３１は、制御部３０がＢｕｓｙ状態ではないと判断したら（Ｓ１０３：Ｎｏ）、
受け付けたジョブを制限なしで実行する（Ｓ２０３）。
【００７２】
ＣＰＵ３１は、制御部３０がＢｕｓｙ状態であると判断した場合（Ｓ１０３：Ｙｅｓ）
、かつ、標準操作画面が表示中、すなわち、マルチタッチモードでの入力操作が実行され
ている場合（Ｓ４０１：Ｙｅｓ）、受け付けられたジョブを制限して実行する（Ｓ４０２
）。なお、ジョブを制限して実行するのは、例えば、ジョブをＳ２０３で実行される処理
速度よりも低速で実行する。その結果、先に受け付けられた入力操作の実行を優先させ、
マルチタッチモードで入力操作を実行する際に、制御部３０に対する負荷はそれほど大き
くないジョブの制限実行により、ジョブと入力操作を両立して同時に実行することができ
る。
【００７３】
一方、制御部３０がＢｕｓｙ状態である（Ｓ１０３：Ｙｅｓ）が、標準操作画面が表示
されていない場合、すなわち、マルチタッチモードでの入力操作が受け付けられていない
場合（Ｓ４０１：Ｎｏ）、ジョブを制限なしで実行する（Ｓ２０３）。すなわち、入力操
作が先に受け付けられていない場合は、ＵＩ実行処理において簡易操作画面が表示される
（Ｓ１０４）。よって、先に受け付けたジョブを優先させ、通常の処理速度で実行する際
に、ＵＩ実行処理による制御部３０の負荷はそれほど大きくないシングルタッチモードで
入力操作を受け付けることにより、ジョブと入力操作を両立して同時に実行することがで
きる。
【００７４】
ジョブの実行が終了した場合（Ｓ２０４：Ｙｅｓ）、Ｓ２０１に移行し（Ｓ４０３）、
新たなジョブを受け付けるまで待機する。
【００７５】
また、ジョブの実行が終了していない場合（Ｓ２０４：Ｎｏ）、Ｓ１０３に移行し、再
び制御部がＢｕｓｙ状態であるかを判断する。
【００７６】
なお、同様にＳ１０３〜Ｓ４０２（もしくはＳ２０３）の間の処理の実行は、排他処理
になっている。
【００７７】
ここで、実施形態２におけるＭＦＰ１００の具体的な動作を、図９を参照して説明する
。図９は上述の処理の一例を示すタイミングチャートである。横軸がＭＦＰ１００の電源
投入した後、または、ある待機している時点からの時間ｔの流れを示す。この時間ｔの流
れに応じて、「ＵＩの入力の有無」、「ＪＯＢの有無」、「表示部６が表示する画面」、
および「ＪＯＢの制限実行の有無」の状態が変化する。なお、ＵＩの入力がある状態とは
、図７のＳ１０３〜Ｓ１０８の処理を繰り返して実行している間のことであり、ＪＯＢが
ある状態とは、図８のＳ１０３〜Ｓ２０４の処理を繰り返して実行している間のことであ
る。また、ＪＯＢ１〜ＪＯＢ３は例えば高品質のジョブであり、ＵＩの入力中にＪＯＢ１
〜ＪＯＢ３を実行すると、制御部３０がＢｕｓｙ状態であると仮定する。
【００７８】
図９に示すように、まずｔ１において、ＣＰＵ３１は、ＪＯＢ１を受け付けて実行する
。ここで、ＪＯＢ１は通常の処理速度で実行される。
【００７９】
ｔ２において、ＪＯＢ１を実行中に、タッチパネル５のＵＩ入力１が受け付けられた場
合、ジョブが先に受け付けられたので、ＣＰＵ３１は簡易操作画面を表示させる。このと
き、ＪＯＢ１は制限しないまま通常の処理速度で実行される。
【００８０】
ｔ３において、ＵＩ入力１がまだ終了していない状態でＪＯＢ１の実行が終了した場合
、ＣＰＵ３１は制御部３０がＢｕｓｙ状態ではないと判断し、標準操作画面に切り替えて
表示させる。
【００８１】
ｔ４において、ＵＩ入力１を実行している間に、ＪＯＢ２が受け付けられた場合、入力
操作が先に受け付けられたので、ＣＰＵ３１は、ＪＯＢ２を制限して実行する。このとき
、ＣＰＵ３１は、標準操作画面を引き続き表示させる。
【００８２】
ｔ５において、ＪＯＢ２を実行中に、ＵＩ入力１の実行が終了した場合、ＣＰＵ３１は
制御部３０がＢｕｓｙ状態ではないと判断し、通常の処理速度でＪＯＢ２を実行する。そ
して、表示部６には待機画面を表示させる。
【００８３】
ｔ６において、ＪＯＢ２を実行中に、ＵＩ入力２が受け付けられた場合、ジョブを先に
受け付けたので、ＣＰＵ３１は簡易操作画面に切り替えて表示する。そして、ＪＯＢ２は
通常の速度のまま実行される。
【００８４】
ｔ７において、ＪＯＢ２を実行中にＵＩ入力２が終了すると、ＣＰＵ３１は表示部６に
待機画面を表示させ、ＪＯＢ２を通常の処理速度のまま実行する。
【００８５】
ｔ８において、ＪＯＢ２の実行が終了すると、ＣＰＵ３１は待機画面を表示したまま、
ジョブの待ち受け状態になる。
【００８６】
ｔ９において、ＵＩ入力３が受け付けられると、ＣＰＵ３１は表示部６に標準操作画面
を表示する。
【００８７】
ｔ１０において、ＵＩ入力３を実行中にＪＯＢ３が受け付けられると、ＵＩ入力３が先
に入力されたので、ＣＰＵ３１は表示部６に標準操作画面を表示したままＪＯＢ３を制限
して実行する。
【００８８】
ｔ１１において、ＵＩ入力３を実行中にＪＯＢ３が終了すると、ＣＰＵ３１は、表示部
６に標準操作画面を表示したままジョブの待ち受け状態になる。
【００８９】
ｔ１２において、ＵＩ入力３の実行が終了すると、ＣＰＵ３１は、ジョブの待ち受け状
態のまま表示部６に待機画面を表示させる。
【００９０】
「本実施形態の効果」
以上の実施形態によれば、ＭＦＰ１００は、マルチタッチモードの入力操作とジョブを
受け付ける順番に基づいて、先に受け付けた処理を優先させ、マルチタッチモードとシン
グルタッチモードを切り替えることによって、先に受け付けられた処理が後に受け付けら
れた処理によって制限されることなく、効率よく実行することができる。
【００９１】
また、ＭＦＰ１００は、ＣＰＵ３１を含める制御部３０の処理状況に基づいて、制御部
３０の処理負荷の大きいマルチタッチモードである場合にはジョブを制限し、マルチタッ
チモードよりも制御部３０の処理負荷の小さいシングルタッチモードではジョブを制限せ
ずに実行する構成になっているため、タッチパネル５で受け付けられた入力操作の処理と
ジョブとの一方の処理を制限することで、他方の処理を制限することなく、効率よく実行
することができる。
【００９２】
＜他の実施形態＞
以上の実施形態は単なる例示にすぎず，本発明を何ら限定するものではない。したがっ
て本発明は当然に，その要旨を逸脱しない範囲内で種々の改良，変形が可能である。例え
ば，ＭＦＰに限らず，プリンタ，ファックス装置等，画像データを処理するものであれば
適用可能である。また，プリンタ部３の画像形成方式は，インクジェット方式に限らず，
電子写真方式であってもよい。
【００９３】
また、前述の実施形態においては、ＭＦＰ１００は、ＵＳＢインターフェイス３７や、
スロット部３７を介して、記録媒体から画像データを読み込んで印刷するダイレクトプリ
ントができるように構成してもよい。この場合、ダイレクトプリント中に外部メモリ内の
画像データの画像を表示させてユーザが入力操作を行い場合が想定される。このような場
合、ダイレクトプリントの処理対象となる画像データと、入力操作の対象となる画像デー
タとが同一であると、同じ画像データに対して異なる処理を実行する必要があるため、制
御部３０の負荷が大きくなることが予想される。従って、前述の実施形態におけるＳ１０
３の判断では、高品質のジョブの実行等で制御部３０がＢｕｓｙ状態か否かを判断してい
たが、その代わりにダイレクトプリントの処理対象となる画像データが、入力操作の対象
となる画像データと同一であれば、制御部３０がＢｕｓｙ状態であると判断してもよい。
このように構成すれば、ジョブと入力操作とを同時に同一画像データに対して処理する前
に、簡易操作画面を表示することにより、制御部３０の負荷を減少させ、ジョブと入力操
作を両立して同時に実行することができる。
【００９４】
また、前述の実施形態におけるＳ１０３の判断の変形例として、ジョブの実行中は必ず
Ｂｕｓｙ状態であると判断してもよい。
【００９５】
また、実施形態２における、図７のＳ３０１および図８のＳ４０１の判断では、ＣＰＵ
３１は、入力操作がジョブよりも先であるか否かに基づいて、簡易操作画面を表示するこ
とによるＵＩ実行処理を制限するかジョブの実行を制限するかを判断していたが、その代
わりに、受け取ったジョブの優先度に基づいて判断してもよい。高優先度のジョブであれ
ば、ジョブを通常の処理速度で実行しつつ、簡易操作画面を表示部６に表示させる。低優
先度のジョブであれば、標準操作画面を表示しつつ、ジョブを制限して実行する。このよ
うに構成すれば、優先度の高いジョブ要求を即座に実行できるとともに、ジョブと入力操
作を同時に実行する前に、簡易操作画面を表示することにより、制御部３０の負荷を減少
させ、ジョブと入力操作を両立して同時に実行することができる。
【００９６】
また、前述の実施形態によれば、簡易操作画面の例として図４に示すようなシングルタ
ッチを受け付ける操作画面を表示したが、そのかわりに、操作キー４のみの操作を受け付
けるような操作画面を表示してもよい。図１０は、操作キー４の操作を受け付けるための
操作画面の例を示す図である。図１０に示すように、表示部６には処理対象の画像と、現
在処理対象となる画像を表示するためのカーソルが表示される。そして、標準操作画面と
同等の処理を操作キー４で行うための操作方法の情報が表示されている。このような表示
を行うことにより、図４に示す簡易操作画面と同様に、入力操作の処理による制御部３０
の負荷を軽減することができる。
【符号の説明】
【００９７】
１００…ＭＦＰ（画像処理装置の一例）
３０…制御部
３１…ＣＰＵ
３２…ＲＯＭ
３３…ＲＡＭ
６…表示部
５…タッチパネル（入力部の一例）
４…操作キー（入力部の一例）
【図１】
0005663980.tif 000002
【図２】
0005663980.tif 000003
【図５】
0005663980.tif 000004
【図６】
0005663980.tif 000005
【図７】
0005663980.tif 000006
【図８】
0005663980.tif 000007
【図９】
0005663980.tif 000008
【図３】
0005663980.tif 000009
【図４】
0005663980.tif 000010
【図１０】
0005663980.tif 000011